(57)【要約】【課題】  露出補正によるスルー画表示時の露出変動を低減することが可能な撮影装置、およびその制御方法を提供する。【解決手段】  スルー画表示が開始すると、ＣＣＤからの画像信号に基づいてＡＥ評価値を算出し、操作部によって設定された露出補正値がプラス補正側の所定値Ｓより大きい場合には、ＡＥ評価値をＮ倍（Ｎ＞１）とした値が目標値に一致するようにして最適露出値を決定し、ＡＷＢのゲインを通常のＮ倍にすることによって、画像信号のレベルをＮ倍にしてスルー画表示を行わせる。この後、露出補正値が適正露出値に反映され、シャッタボタンが押下されるまでの間、ＡＥ動作が繰り返し実行される。画像信号のレベルは、１／Ｎ倍となっているので、露出補正による露出変動が生じにくい。【選択図】        図３
2007027984.tif 000002
【特許請求の範囲】
【請求項１】
固体撮像素子からの画像信号に基づいて算出した評価値が所定の目標値に一致するようにして最適露出値を決定する自動露出機能と、操作手段によって設定された露出補正値に基づいて前記最適露出値を補正する露出補正機能と、前記画像信号を１画面ごとに順次に表示するスルー画表示機能とを備えた撮影装置において、
前記露出補正値がプラス補正側の所定値より大きい場合に、前記評価値をＮ倍（Ｎ＞１）とした値が前記目標値に一致するようにして最適露出値を決定させ、前記画像信号のレベルをＮ倍にして前記スルー画表示を行わせる制御手段を設けたことを特徴とする撮影装置。
【請求項２】
固体撮像素子からの画像信号に基づいて算出した評価値が所定の目標値に一致するようにして最適露出値を決定する自動露出機能と、操作手段によって設定された露出補正値に基づいて前記最適露出値を補正する露出補正機能と、前記画像信号を１画面ごとに順次に表示するスルー画表示機能とを備えた撮影装置において、
前記露出補正値がマイナス補正側の所定値より小さい場合に、前記評価値を１／Ｎ倍（Ｎ＞１）とした値が前記目標値に一致するようにして最適露出値を決定させ、前記画像信号のレベルを１／Ｎ倍にして前記スルー画表示を行わせる制御手段を設けたことを特徴とする撮影装置。
【請求項３】
ホワイトバランス補正を行うゲイン調整手段を備え、前記制御手段は、このゲイン調整手段を制御して前記画像信号のレベルを変更することを特徴とする請求項１または２記載の撮影装置。
【請求項４】
所定のパラメータに基づいて前記画像信号の階調変換を行う階調変換手段を備え、前記制御手段は、この階調変換手段を制御し、前記パラメータを変更することで前記画像信号のレベルを変更することを特徴とする請求項１または２記載の撮影装置。
【請求項５】
固体撮像素子からの画像信号に基づいて算出した評価値が所定の目標値に一致するようにして最適露出値を決定する自動露出機能と、操作手段によって設定された露出補正値に基づいて前記最適露出値を補正する露出補正機能と、前記画像信号を１画面ごとに順次に表示するスルー画表示機能とを備えた撮影装置の制御方法において、
前記露出補正値がプラス補正側の所定値より大きい場合に、前記評価値をＮ倍（Ｎ＞１）とした値が前記目標値に一致するようにして最適露出値を決定させ、前記画像信号のレベルをＮ倍にして前記スルー画表示を行わせることを特徴とする撮影装置の制御方法。
【請求項６】
固体撮像素子からの画像信号に基づいて算出した評価値が所定の目標値に一致するようにして最適露出値を決定する自動露出機能と、操作手段によって設定された露出補正値に基づいて前記最適露出値を補正する露出補正機能と、前記画像信号を１画面ごとに順次に表示するスルー画表示機能とを備えた撮影装置の制御方法において、
前記露出補正値がマイナス補正側の所定値より小さい場合に、前記評価値を１／Ｎ倍（Ｎ＞１）とした値が前記目標値に一致するようにして最適露出値を決定させ、前記画像信号のレベルを１／Ｎ倍にして前記スルー画表示を行わせることを特徴とする撮影装置の制御方法。
【発明の詳細な説明】
【技術分野】
【０００１】
本発明は、自動露出機能、露出補正機能、およびスルー画表示機能を備えた撮影装置、並びにその制御方法に関する。
【背景技術】
【０００２】
被写体画像をＣＣＤイメージセンサなどの固体撮像素子で撮像し、得られた画像信号をデジタル変換して記録媒体に記録するデジタルカメラが普及している。近年のデジタルカメラの多くは、被写体の明るさに最適な露出値（絞り値およびシャッタ速度）を自動的に決定する自動露出（ＡＥ）機能、およびＡＥで決定される適正露出値に対して露出をオーバーまたはアンダーに補正する露出補正機能を備えている。
【０００３】
露出補正機能を備えたデジタルカメラにおいて、例えば、露出補正値を＋２Ｅｖに設定して静止画撮影を行うと、まず、図７（Ａ）に示すように、画像信号の平均値（ＡＥ評価値）が目標値に一致するように適正露出値（ＡＥｖ）が決定される。この後、図７（Ｂ）に示すように、適正露出値を露出補正値分だけ補正して（ＡＥｖ−２Ｅｖ）、撮影が実行される。
【０００４】
固体撮像素子が受光することのできる光量の範囲はダイナミックレンジと呼ばれ、露出補正値がダイナミックレンジに対して大きくなると、ダイナミックレンジの上限または下限で画像信号がクランプされる。上記の例では、ＡＥ評価値の目標値に対して−３．５Ｅｖから２．５Ｅｖの範囲が固体撮像素子のダイナミックレンジであり、＋２Ｅｖのプラス補正によりダイナミックレンジの上限（２．５Ｅｖ）で画像信号がクランプされている（光量が飽和している）。そこで、このクランプを減らすために、露出補正値に応じて固体撮像素子のダイナミックレンジを変化させる手法が知られている（特許文献１参照）。
【特許文献１】特開２００４−２２２１８３号公報
【発明の開示】
【発明が解決しようとする課題】
【０００５】
また、デジタルカメラの多くは、液晶ディスプレイ（ＬＣＤ）などの画像表示装置を備えており、画像表示装置は、記録媒体に記録された画像信号の再生表示のほか、撮影時にビューファインダとして機能するようにスルー画表示を行う。スルー画表示では、固体撮像素子から出力された画像信号が記録媒体に記録されずに１画面ごとに順次に画像表示装置に表示される。
【０００６】
このスルー画表示状態で露出補正を行うと、図７（Ｂ）のように露出補正がなされた後、さらにＡＥ評価値の算出が行われ、算出されたＡＥ評価値が新たな目標値（本来の目標値に露出補正値を加算したレベル）に一致するように適正露出値を決定するフィードバックＡＥ動作が行われる。
【０００７】
このとき、固体撮像素子のダイナミックレンジの上限で画像信号がクランプされているため、図８（Ａ）に示すように、ＡＥ評価値は新たな目標値を下回っている。このため、図８（Ｂ）に示すように、ＡＥ評価値が新たな目標値に一致するように決定された適正露出値は、フィードバックＡＥ動作前の適正露出値よりプラス補正側にシフトされ、スルー画は、実際に静止画撮影で得られる画像に比べて露出オーバーとなる。
【０００８】
このように、スルー画表示状態で露出補正を行うと、固体撮像素子のダイナミックレンジの制約により、スルー画の露出が変動し、スルー画に反映される露出補正が実際に設定した露出補正値と異なってしまう。この問題を解決するには、上記特許文献１に記載のように、固体撮像素子のダイナミックレンジを変化させることが考えられるが、これを実施するには、高感度画素と低感度画素とからなる特殊な固体撮像素子を用いる必要があり、コストが高く問題である。
【０００９】
本発明は、上記課題を鑑みてなされたものであり、露出補正によるスルー画表示時の露出変動を低減することが可能な撮影装置、およびその制御方法を提供することを目的とする。
【課題を解決するための手段】
【００１０】
上記目的を達成するために、本発明の撮影装置は、固体撮像素子からの画像信号に基づいて算出した評価値が所定の目標値に一致するようにして最適露出値を決定する自動露出機能と、操作手段によって設定された露出補正値に基づいて前記最適露出値を補正する露出補正機能と、前記画像信号を１画面ごとに順次に表示するスルー画表示機能とを備えた撮影装置において、前記露出補正値がプラス補正側の所定値より大きい場合に、前記評価値をＮ倍（Ｎ＞１）とした値が前記目標値に一致するようにして最適露出値を決定させ、前記画像信号のレベルをＮ倍にして前記スルー画表示を行わせる制御手段を設けたことを特徴とする。
【００１１】
また、上記目的を達成するために、本発明の撮影装置は、固体撮像素子からの画像信号に基づいて算出した評価値が所定の目標値に一致するようにして最適露出値を決定する自動露出機能と、操作手段によって設定された露出補正値に基づいて前記最適露出値を補正する露出補正機能と、前記画像信号を１画面ごとに順次に表示するスルー画表示機能とを備えた撮影装置において、前記露出補正値がマイナス補正側の所定値より小さい場合に、前記評価値を１／Ｎ倍（Ｎ＞１）とした値が前記目標値に一致するようにして最適露出値を決定させ、前記画像信号のレベルを１／Ｎ倍にして前記スルー画表示を行わせる制御手段を設けたことを特徴とする。
【００１２】
なお、ホワイトバランス補正を行うゲイン調整手段を備え、前記制御手段は、このゲイン調整手段を制御して前記画像信号のレベルを変更することが好ましい。また、所定のパラメータに基づいて前記画像信号の階調変換を行う階調変換手段を備え、前記制御手段は、この階調変換手段を制御し、前記パラメータを変更することで前記画像信号のレベルを変更することが好ましい。
【００１３】
また、上記目的を達成するために、本発明の撮影装置の制御方法は、固体撮像素子からの画像信号に基づいて算出した評価値が所定の目標値に一致するようにして最適露出値を決定する自動露出機能と、操作手段によって設定された露出補正値に基づいて前記最適露出値を補正する露出補正機能と、前記画像信号を１画面ごとに順次に表示するスルー画表示機能とを備えた撮影装置の制御方法において、前記露出補正値がプラス補正側の所定値より大きい場合に、前記評価値をＮ倍（Ｎ＞１）とした値が前記目標値に一致するようにして最適露出値を決定させ、前記画像信号のレベルをＮ倍にして前記スルー画表示を行わせることを特徴とする。
【００１４】
また、上記目的を達成するために、本発明の撮影装置の制御方法は、固体撮像素子からの画像信号に基づいて算出した評価値が所定の目標値に一致するようにして最適露出値を決定する自動露出機能と、操作手段によって設定された露出補正値に基づいて前記最適露出値を補正する露出補正機能と、前記画像信号を１画面ごとに順次に表示するスルー画表示機能とを備えた撮影装置の制御方法において、前記露出補正値がマイナス補正側の所定値より小さい場合に、前記評価値を１／Ｎ倍（Ｎ＞１）とした値が前記目標値に一致するようにして最適露出値を決定させ、前記画像信号のレベルを１／Ｎ倍にして前記スルー画表示を行わせることを特徴とする。
【発明の効果】
【００１５】
本発明によれば、露出補正値がプラス補正側の所定値より大きい場合に、評価値をＮ倍（Ｎ＞１）とした値が目標値に一致するようにして最適露出値を決定させ、画像信号のレベルをＮ倍にしてスルー画表示を行わせるので、露出補正後に自動露出機能が再度働くことによって生じるスルー画表示時のオーバー側への露出変動が低減される。
【００１６】
また、本発明によれば、露出補正値がマイナス補正側の所定値より小さい場合に、評価値を１／Ｎ倍（Ｎ＞１）とした値が目標値に一致するようにして最適露出値を決定させ、画像信号のレベルを１／Ｎ倍にしてスルー画表示を行わせるので、露出補正後に自動露出機能が再度働くことによって生じるスルー画表示時のアンダー側への露出変動が低減される。
【発明を実施するための最良の形態】
【００１７】
デジタルカメラ１０の構成を示す図１において、ＣＰＵ（制御手段）１１は、シャッタボタン、モード切替ボタン、露出補正値設定ボタンなどを含む操作部１２から入力される操作信号に応じ、ＲＯＭ１３に格納された制御プログラムに基づいて各部の動作制御を行う。ＣＣＤイメージセンサ（ＣＣＤ）１４の被写体側には、撮影レンズ１５および絞り１６が設けられており、レンズモータ１７およびアイリスモータ１８がそれぞれに接続されている。モータ１７，１８は、ステッピングモータからなり、モータドライバ１９，２０によってそれぞれ駆動される。ＣＰＵ１１は、モータドライバ１９，２０を制御し、撮影レンズ１５のレンズ位置、および絞り１６の絞り値を調整する。
【００１８】
ＣＣＤ１４は、タイミングジェネレータ（ＴＧ）２１から送信される駆動パルスによって制御され、撮影レンズ１５および絞り１６を介して撮像した被写画像を電気的な画像信号として出力する。なお、画像信号には、Ｒ（赤）、Ｇ（緑）、Ｂ（青）の原色カラーフィルタを備えたフォトダイオードからのＲＧＢ色信号と、遮光されたフォトダイオード（オプティカルブラック）からのノイズ信号とが含まれている。また、ＣＣＤ１４は電子シャッタ機能を有し、ＣＰＵ１１はＴＧ２１を介してＣＣＤ１４のシャッタ速度（電荷蓄積時間）を制御する。
【００１９】
ＣＣＤ１４から出力された画像信号は、相関二重サンプリング回路（ＣＤＳ）２２、オートゲインコントロール・アンプ（ＡＧＣ）２３、およびＡ／Ｄ変換器２４からなるアナログ信号処理部２５によってアナログ信号処理が施される。ＣＤＳ２２は、ＣＣＤ１４に起因するアンプ雑音とリセット雑音とを除去する。ＡＧＣ２３は、ゲインを変更することができる増幅器であって、ＣＰＵ１１はＡＧＣ２３を制御して感度を調整する。Ａ／Ｄ変換器２４は、ＣＤＳ２２およびＡＧＣ２３によって雑音除去とゲイン調整とが施された画像信号をデジタル化する。Ａ／Ｄ変換器２４から出力された画像信号（ＲＡＷデータ）は、ＲＡＭ２６に入力される。
【００２０】
デジタル信号処理回路２７は、ＲＡＭ２６に格納された１画面分の画像信号に対して、後述するデジタル信号処理を施す。ＬＣＤドライバ２８は、デジタル信号処理が施された画像信号をスルー画として液晶ディスプレイ（ＬＣＤ）２９に順次に表示させる。
【００２１】
圧縮伸張処理回路３０は、操作部１２内のシャッタボタンが押下された際に、デジタル信号処理が施された画像信号に対して、所定の圧縮形式（例えばＪＰＥＧ形式）で圧縮処理を施す。メディアコントローラ３１は、メモリカード３２を制御し、圧縮伸張処理回路３０によって圧縮された画像信号を画像データとしてメモリカード３２に記録する。また、再生モード時には、メディアコントローラ３１は、メモリカード３２に格納された画像データを読み出す。この場合、圧縮伸張処理回路３０は、メディアコントローラ３１が読み出した画像データに対して伸張処理を施す。伸張された画像データは、ＬＣＤドライバ２８によってＬＣＤ２９に再生表示される。
【００２２】
デジタル信号処理回路２７の構成を示す図２において、オフセット補正回路４０は、ＲＡＭ２６から１画面分の画像信号を読み出し、画像信号に含まれるＲＧＢ色信号からノイズ信号を一律に差し引く、オフセット補正を行う。
【００２３】
評価値算出回路４１は、オフセット補正回路４０から出力された画像信号に基づき、ＡＥ、ＡＦ（自動焦点）、ＡＷＢ（自動ホワイトバランス）用の評価値を算出し、各評価値をＣＰＵ１１に入力する。ＡＥの場合には、画像信号の平均値（測光データ）がＡＥ評価値として算出され、ＣＰＵ１１は、演算を行い、ＡＥ評価値が所定の目標値に一致するように適正露出値を決定する。なお、ＡＥ評価値は明るさを示す正の値であり、ＡＥ評価値としては、画像信号の積算値を用いてもよい。また、ＡＥ評価値の算出には、中央重点平均測光やスポット測光を用いてもよい。
【００２４】
ＡＦの場合には、コントラスト値がＡＦ評価値として算出され、ＣＰＵ１１は、ＡＦ評価値が最大となるように、撮影レンズ１５のレンズ位置を決定する。また、ＡＷＢの場合には、色合いの分布がＡＷＢ評価値として算出され、ＣＰＵ１１は、ＡＷＢ評価値から光源のＲＧＢ比を推定し、最適な色温度となるように画像信号のゲイン調整（ＲＧＢ比の調整）を行う。
【００２５】
ゲイン補正回路４２は、ＣＰＵ１１から送信される制御信号に基づき、オフセット補正回路４０から出力された画像信号に対して上記ＡＷＢのゲイン調整を行う（例えば、Ｇの画像信号を基準とし、Ｒ／Ｇをα倍、Ｂ／Ｇをβ倍とする）。ガンマ変換回路（階調変換手段）４３は、ゲイン補正回路４２から出力された画像信号を、ＲＯＭ１３に格納された所定のガンマ変換パラメータに従って階調変換する。
【００２６】
ＲＧＢ補間演算回路４４は、ガンマ変換回路４３から出力された画像信号を補間演算して、各画素位置におけるＲＧＢ３色の信号を求める。ＹＣ変換回路４５は、ＲＧＢ補間演算回路４４から出力された画像信号を、輝度信号Ｙと色差信号Ｃｒ，Ｃｂとに変換する。ＹＣ変換回路４５によって生成された輝度信号Ｙおよび色差信号Ｃｒ，Ｃｂからなる画像信号は、ＲＡＭ２６に格納される。
【００２７】
また、デジタルカメラ１０は露出補正機能を備えており、ユーザは、操作部１２に含まれる露出補正値設定ボタンを操作することにより、例えば、−２Ｅｖから＋２Ｅｖ（０．５Ｅｖステップ）の範囲で露出補正値を設定することができる。ＣＰＵ１１は、露出補正値が設定されると、ＡＥ動作によって決定された適正露出値に、露出補正値を反映させる。
【００２８】
次に、スルー画表示時のＡＥ動作を図３のフローチャートに沿って説明する。まず、デジタルカメラ１０を撮影モードに設定すると、ＣＣＤ１４によって撮像され所定の処理が施された画像信号がＬＣＤ２９に順次、スルー画として表示される（ステップＳ１）。
【００２９】
このとき、デジタル信号処理回路２７内では、評価値算出回路４１によってＡＥ評価値が算出される（ステップＳ２）。ＣＰＵ１１は、設定されている露出補正値が所定値Ｓ（例えば＋１Ｅｖ）以上であるか否かを判定し（ステップＳ３）、露出補正値が所定値Ｓより小さい場合には（ステップＳ３のＮｏ）、演算を行い（ステップＳ４）、ＡＥ評価値が所定の目標値に一致するように適正露出値を決定する（ステップＳ５）。
【００３０】
一方、露出補正値が所定値Ｓ以上の場合には（ステップＳ３のＹｅｓ）、ＣＰＵ１１は、ＡＥ評価値をＮ倍（Ｎ＞１）として演算を行い（ステップＳ６，Ｓ７）、ＡＥ評価値をＮ倍とした値が目標値に一致するように適正露出値を決定する（ステップＳ８）。これにより、画像信号のレベルは通常の１／Ｎ倍となる。このとき、ＣＰＵ１１は、デジタル信号処理回路２７内のゲイン補正回路４２におけるＡＷＢのゲイン量を通常のＮ倍とし（例えば、Ｒ／Ｇのゲイン量αをＮ倍、Ｂ／Ｇのゲイン量βをＮ倍とする）、ＬＣＤ２９に表示されるスルー画のレベル（光量）をＮ倍にする（ステップＳ９）。
【００３１】
次いで、ＣＰＵ１１は、露出補正値を、ステップＳ５またはステップＳ８で決定された適正露出値に反映させる（ステップＳ１０）。これにより、スルー画のレベルが露出補正値分だけ補正される。
【００３２】
この後、ＣＰＵ１１は、シャッタボタンが押下されるまでの間、ステップＳ２〜Ｓ１０のＡＥ動作を繰り返し実行する（これをフィードバックＡＥ動作という）。なお、フィードバックＡＥ動作時には、ステップＳ５，Ｓ８での目標値は、本来の目標値に露出補正値を加算したレベルとされ、ステップＳ１０での露出補正値の反映は行われない。
【００３３】
そして、フィードバックＡＥ動作中にシャッタボタンが押下された場合には（ステップＳ１１のＹｅｓ）、スルー画表示が終了する（ステップＳ１２）とともに、撮影処理が実行され（ステップＳ１３）、得られた静止画像がＬＣＤ２９に表示（ポストビュー表示）される（ステップＳ１４）。なお、ステップＳ１３の撮影処理においては、露出補正値の設定に係わらず、画像信号に対して、上記ステップＳ４，Ｓ５，Ｓ１０と同様の通常の露出補正処理がなされる。
【００３４】
上記ステップＳ３の判断基準値Ｓ、およびステップＳ６，Ｓ９での倍率Ｎは、ＣＣＤ１４のダイナミックレンジを考慮して決定される。ＣＣＤ１４のダイナミックレンジが、ＡＥ評価値の目標値に対して−３．５Ｅｖから２．５Ｅｖの範囲である場合には、例えば、判断基準値Ｓを「＋１Ｅｖ」、倍率Ｎを「２」とする。なお、＋１Ｅｖは光量が２倍、−１Ｅｖは光量が２分の１になることに対応する。
【００３５】
次に、この例において、露出補正値を＋２Ｅｖと設定した場合のフィードバックＡＥ動作について具体的に説明する。フィードバックＡＥ動作前の第１回目のＡＥ動作では、図４（Ａ）に示すように、ＡＥ評価値を２倍とした値が目標値に一致するように適正露出値が決定され、ＬＣＤ２９には、ゲイン補正回路４２によって通常の２倍にゲインされたスルー画表示が行われる。このスルー画は、ＡＥ評価値が目標値に一致するように定めた本来の適正露出において、露出補正なし（露出補正値０Ｅｖ）として表示した画像に一致する。
【００３６】
この後、適正露出値に露出補正値の＋２Ｅｖが反映されると、図４（Ｂ）に示すように、得られる画像信号のレベルが＋２Ｅｖだけ増加する。ＬＣＤ２９には、この画像信号を２倍にゲインしたスルー画表示が行われるので、スルー画は、＋２Ｅｖの露出補正を施した画像となる。
【００３７】
そして、シャッタボタンが押下されるまでの間は、露出補正値が反映された状態で、フィードバックＡＥ動作がなされ、第２回目移行のＡＥ動作が行われる。このとき、図４（Ｂ）に示すように、画像信号には、ＣＣＤ１４のダイナミックレンジの上限による制約によってクランプされた（光量が飽和した）レベルは存在していないため、この状態で再度算出されるＡＥ評価値を２倍とした値は、新たな目標値（本来の目標値に露出補正値を加算したレベル）の＋２Ｅｖにほぼ一致する。したがって、フィードバックＡＥ動作によってスルー画の露出は殆ど変動しない。
【００３８】
なお、露出補正前の図４（Ａ）において画像信号に０．５Ｅｖより高いレベルが存在する場合には、当然、＋２Ｅｖの露出補正後の図４（Ｂ）の状態で、光量が飽和したレベルが現れるため、フィードバックＡＥ動作によるスルー画の露出変動が生じる。しかし、上記の例では、ＡＥ評価値を２倍とした値が目標値に一致するようにして適正露出値を決定することにより、画像信号のレベルを１／２としているので、露出補正による露出変動は通常の場合より低減されている。
【００３９】
上記実施形態では、ＡＥ評価値をＮ倍として適正露出値の決定が行われた際に、ゲイン補正回路４２を制御することにより、スルー画表示する画像信号のレベルをＮ倍としたが、本発明はこれに限定されず、これに代えて、ガンマ変換回路４３を制御することにより、スルー画表示する画像信号のレベルをＮ倍としてもよい。つまり、具体的には、上記ステップＳ９においてＡＷＢのゲインを通常のＮ倍とする代わりに、図５に示すように、ガンマ変換パラメータを通常のＮ倍とする。
【００４０】
図６は、画像信号の階調を１０ビットから８ビットに変換するガンマ変換パラメータの例であり、ガンマ変換パラメータ５０は、通常のガンマ変換時に用いられ、ガンマ変換パラメータ５１は、ゲインを通常のガンマ変換の２倍とする際に用いられる。ただし、ガンマ変換パラメータ５１は、ガンマ変換パラメータ５０を２倍とし、変換後の階調が最大値の２５５を超える部分を２５５でクランプしたものである。
【００４１】
また、上記実施形態では、ＡＷＢに用いられるゲイン補正回路４２、またはガンマ変換に用いられるガンマ変換回路４３によってスルー画表示する画像信号のレベル変更を行うようにしたが、本発明はこれに限定されず、このレベル変更を行う回路を、ゲイン補正回路４２とガンマ変換回路４３とは別に設けるようにしてもよい。
【００４２】
また、上記実施形態では、適正露出値をオーバー側に補正するプラス補正の場合を例示して説明したが、本発明はこれに限定されず、適正露出値をアンダー側に補正するマイナス補正の場合にも適用することができる。スルー画表示状態で、適正露出値をアンダー側に補正すると、上記の場合とは逆に、画像信号は、ＣＣＤ１４のダイナミックレンジの下限でクランプされるため、フィードバックＡＥ動作によってスルー画の露出はアンダー側に変動する。この変動を低減するには、設定された露出補正値が所定値以下である場合に、ＡＥ評価値を１／Ｎ倍（Ｎ＞１）として適正露出値を決定し、画像信号のレベルをＮ倍とするとともに、スルー画表示する画像信号のレベルを１／Ｎ倍とすればよい。
【００４３】
また、上記実施形態のスルー画表示状態において、画像信号の輝度値をＬＣＤ２９にヒストグラム表示するには、ＹＣ変換回路から出力された輝度信号Ｙをデータとして用いればよい。これにより、スルー画および撮影で得られる画像の明るさに対応した正確なヒストグラム表示を行うことができる。
【図面の簡単な説明】
【００４４】
【図１】デジタルカメラの構成を示すブロック図である。
【図２】デジタル信号処理回路の構成を示すブロック図である。
【図３】スルー画表示時のＡＥ動作を示すフローチャートである。
【図４】露出補正前後の画像信号の例を示すグラフである。
【図５】スルー画表示時のＡＥ動作の変形例を示すフローチャートである。
【図６】ガンマ変換パラメータの例を示すグラフである。
【図７】静止画撮影時の露出補正前後の画像信号の例を示すグラフである。
【図８】従来のフィードバックＡＥ動作前後の画像信号の例を示すグラフである。
【符号の説明】
【００４５】
１０  デジタルカメラ
１１  ＣＰＵ
１２  操作部
１４  ＣＣＤイメージセンサ
２５  アナログ信号処理部
２７  デジタル信号処理回路
２９  液晶ディスプレイ
４０  オフセット補正回路
４１  評価値算出回路
４２  ゲイン補正回路
４３  ガンマ変換回路
４４  ＲＧＢ補間演算回路
４５  ＹＣ変換回路
５０，５１  ガンマ変換パラメータ
【図１】
2007027984.tif 000003
【図２】
2007027984.tif 000004
【図３】
2007027984.tif 000005
【図４】
2007027984.tif 000006
【図５】
2007027984.tif 000007
【図６】
2007027984.tif 000008
【図７】
2007027984.tif 000009
【図８】
2007027984.tif 000010